(57)【要約】【課題】複雑な眼科の手術機器及びそれと関連する消耗品のセットアップに有用なシステム及び方法を提供する。【解決手段】消耗品又は消耗品パックに対応するセットアップ指示を示すビデオを表示できる手術システムに関し、各々のパックは、１つ以上の消耗品を収容することが可能である。消耗品がスキャン、選択、さもなければ識別されると、手術システムは、データベースに問い合わせて、使用説明（ＤＦＵ）及び消耗品と関連する他のデータを獲得し、したがってパック設定を更新し、またウィザードを含む様々なモードのセットアップ指示を提供するように動作可能である。ウィザードは、一度に１ステップだけセットアップ指示（例えば、視覚、音声、テキスト等）を提供し、また前のステップが正確かつ順調に完了した場合にのみ、予め形成されたセットアップ順序で次のステップを表示する。【選択図】図６
2008006289.tif 000002
【特許請求の範囲】
【請求項１】
手術機器と関連する消耗品のセットアップを容易にする方法であって、
手術システムで１つ以上の消耗品用の識別子を受信することと、
データベースから、前記１つ以上の消耗品からの第１の消耗品と関連する消耗品情報を自動的に獲得することと、
前記消耗品情報に基づき前記第１の消耗品をセットアップする際に１つ以上のステップを示すビデオを少なくとも含む内容を表示することと、を含み、前記内容が前記手術システムのディスプレイに表示される方法。
【請求項２】
少なくともビデオを含む内容を表示することが、さらに、
第１のステップ用の内容を表示することと、
ユーザが前記第１のステップを完了したことを決定することと、
引き続くステップ用の内容を表示することと、
を含む、請求項１に記載の方法。
【請求項３】
前記決定するステップが、前記第１のステップの完了を示すことをユーザに促すことをさらに含む、請求項２に記載の方法。
【請求項４】
ユーザによる前記ビデオの再生制御を可能にするように前記手術システムを構成することをさらに含む、請求項１に記載の方法。
【請求項５】
前記第１の消耗品が、１つ以上の消耗品を含む消耗品パックの一部である、請求項１に記載の方法。
【請求項６】
前記消耗品情報が、前記第１の消耗品に対応する使用説明を含む、請求項１に記載の方法。
【請求項７】
前記識別子を利用する前記データベースに問い合わせることをさらに含む、請求項１に記載の方法。
【請求項８】
前記１つ以上の消耗品用の前記識別子が消耗品パック識別子である、請求項１に記載の方法。
【請求項９】
前記消耗品情報に基づき前記手術システムの設定を更新することをさらに含む、請求項１に記載の方法。
【請求項１０】
手術機器と関連する消耗品のセットアップを容易にする方法を実施するコンピュータ実行可能なプログラム指示を伝達するコンピュータ読み取り可能な媒体であって、前記コンピュータ実行可能なプログラム指示が、
手術システムで、第１の消耗品又は該第１の消耗品を収容する第１の消耗品パックの識別を受信するコードと、
データベースから前記第１の消耗品と関連する消耗品情報を自動的に獲得するコードと、
前記消耗品情報に基づき前記第１の消耗品をセットアップする際に１つ以上のステップを示すビデオを少なくとも含む内容を表示するコードとを含む、
コンピュータ読み取り可能な媒体。
【請求項１１】
前記第１のステップの完了を検出するコードと、
前記第１のステップの完了後に第２のステップの内容を表示するコードと、
をさらに含む、請求項１０に記載のコンピュータ読み取り可能な媒体。
【請求項１２】
前記コンピュータ実行可能なプログラム指示が、前記第１のステップの完了を示すことをユーザに促すコードをさらに含む、請求項１１に記載のコンピュータ読み取り可能な媒体。
【請求項１３】
前記消耗品情報が、前記第１の消耗品に対応する使用説明を含む、請求項１０に記載のコンピュータ読み取り可能な媒体。
【請求項１４】
前記コンピュータ実行可能なプログラム指示が、前記手術システムのユーザが媒体ファイル又はその１部分を選択するか又はスキップすることを可能にするコードをさらに含み、前記媒体ファイルが前記使用説明に対応する、請求項１０に記載のコンピュータ読み取り可能な媒体。
【請求項１５】
前記コンピュータ実行可能なプログラム指示が、ユーザが前記第１の消耗品又は前記第１の消耗品パックの前記識別を選択、入力、又はスキャンすることを可能にするコードをさらに含む、請求項１０に記載のコンピュータ読み取り可能な媒体。
【請求項１６】
前記コンピュータ実行可能なプログラム指示が、前記識別を利用して前記データベースに問い合わせるコードをさらに含む、請求項１０に記載のコンピュータ読み取り可能な媒体。
【請求項１７】
前記コンピュータ実行可能なプログラム指示が、前記消耗品情報に基づき前記手術システムの設定を更新するコードをさらに含む、請求項１０に記載のコンピュータ読み取り可能な媒体。
【請求項１８】
手術機器と関連する消耗品のセットアップを容易にする手術システムであって、
ディスプレイと、
認識装置と、
前記ディスプレイと前記認識装置とに作用上結合された制御器であって、プロセッサと、該プロセッサによって実行可能なプログラム指示を伝達するコンピュータ読み取り可能な媒体とを備える制御器とを備え、前記プログラム指示が、
１組の消耗品を収容する第１の消耗品パックの識別を受信するコードと、
搭載された前記手術システムに記憶された１組の消耗品情報から、前記１組の消耗品と関連する消耗品情報を自動的に獲得するコードと、
前記消耗品情報に基づき前記手術システムの設定を更新するコードと、
前記１組の消耗品をセットアップする際に１連のステップを示すビデオを少なくとも含む表示内容を表示するコードとを含む、
手術システム。
【請求項１９】
中断なしに前記一連のステップの各々を示すビデオをユーザが実行することを可能にするコードをさらに含む、請求項１８に記載の手術システム。
【請求項２０】
前記内容が表示される前記１連のステップの１つ以上をユーザが選択することを可能にするコードをさらに含む、請求項１８に記載の手術システム。
【請求項２１】
ａ）現在のステップと関連する内容を表示するコードと、
ｂ）ユーザが現在のステップを完了したことを決定するコードと、
ｃ）前記１連のステップの各々のステップのステップａ〜ｂを繰り返すコードと、
をさらに含む、請求項１８に記載の手術システム。
【請求項２２】
前記消耗品情報が、前記第１の消耗品に対応する使用説明を含む、請求項１８に記載の手術システム。
【請求項２３】
前記コンピュータ実行可能なプログラム指示が、前記手術システムのユーザが媒体ファイル又はその１部分を選択するか又はスキップすることを可能にするコードをさらに含み、前記媒体ファイルが前記使用説明に対応する、請求項１８に記載の手術システム。
【請求項２４】
前記コンピュータ実行可能なプログラム指示が、ユーザが前記識別を選択、入力、又はスキャンすることを可能にするコードをさらに含む、請求項１６に記載の手術システム。
【請求項２５】
前記コンピュータ実行可能なプログラム指示が、前記識別を用いて前記１組の消耗品情報に問い合わせるコードをさらに含む、請求項１６に記載の手術システム。
【発明の詳細な説明】
【技術分野】
【０００１】
本発明は、一般に、手術機器とそれらをセットアップするための手順に関する。より詳しくは、本発明の実施形態は、手術機器及び関連する消耗品のセットアップを容易にできる、特に眼科の手術コンソールのセットアップに有用であるシステム及び方法に関する。
【背景技術】
【０００２】
人間の眼は、完全な失明への眼の悪化を徐々に引き起こすいくつかの弊害を蒙ることがある。コンタクトレンズ及びメガネはいくつかの病気を補正できるが、眼科手術が他の病気のために必要とされる。一般に、眼科手術は、硝子体網膜手術のような後眼部処置及び白内障の手術のような前眼部処置に分類される。最近、前眼部処置及び後眼部処置の組み合わせが開発されている。
【０００３】
眼科手術のために使用される手術機器は、前眼部処置又は後眼部処置用に特殊化できるか、又は両方を補助することができる。いずれにしろ、手術機器は、手術カセット、流体バッグ、管、ハンドピース先端等のような関連する消耗品の使用を必要とすることが多い。ある場合には、手術コンソールは、関連の手術機器及び消耗品のいくつか又はすべてを収容してもよく、またそれらを監視及び／又は制御するための中央集中システムを提供することが可能である。
【発明の開示】
【発明が解決しようとする課題】
【０００４】
眼科の手術コンソールのセットアップは、手術機器のセットアップが、一般に、様々な電気ケーブル及び空気圧／流体の管等を含むので、非常に複雑である場合がある。セットアップの複雑さは、速度、したがって手術スタッフの生産性に影響を及ぼす可能性がある。前述の消耗品は、しばしば、さらなる遅れ及びおそらくは混乱を引き起こすことがある。現在、消耗品用の「使用説明」（ＤＰＵ（Ｄｉｒｅｃｔｉｏｎ  Ｆｏｒ  Ｕｓｅ）)が、一般的に紙又は包装材料に印刷されている。消耗品は、様々な理由でパッケージから取り出すことが可能である（例えば、使用、保管、在庫等）。多くの場合、非滅菌の包装材料は、ＤＦＵと共に処分される。ＤＦＵが紙に印刷される場合、ＤＦＵは置き忘れられる可能性が高い。この結果、消耗品用のＤＦＵは、失われるか、さもなければ手術機器がセットアップされるべき時点に利用可能でない可能性がある。したがって、より効率的、より速く、また正確に手術機器及び関連する消耗品をセットアップする際に手術スタッフを助けることができるシステム及び方法の必要性がある。本発明の実施形態は、この必要性及びそれ以上の問題に対処することができる。
【課題を解決するための手段】
【０００５】
本発明は、上記課題を解決するための手段として、特許請求の範囲の各請求項に記載されたシステム、方法およびコンピュータ読み取り可能な媒体を提供する。
【０００６】
本発明の実施形態は、手術機器及びそれと関連する消耗品の手術スタッフによる設定を容易にするためのシステム及び方法を提供する。本明細書に開示した本発明の実施形態は、手術装置のセットアップの際に、例えば、手術の準備の際にユーザを補助するために、ビデオ及び他のマルチメディアの内容をユーザに提供することができる。特に、ビデオは、眼科手術に使用される手術カセット、ハンドピース及び他の消耗品を準備する段階的な説明を提供することができる。本発明の様々な実施形態では、看護婦のようなユーザは、初めから終わりまでセットアップビデオを全部見たり、ビデオ内のセットアップの各ステップを見たり、また次のステップに移る前にそのステップを完了したり、あるいはビデオの選択したステップのみを見たりすることができる。これにより、ユーザは、チュートリアルをその男性又は女性の経験レベルに調整することが可能である。
【０００７】
本発明の一実施形態は、手術システムで、１つ以上の消耗品用の識別子を受信することと、データベースから、１つ以上の消耗品からの第１の消耗品と関連する消耗品情報を自動的に獲得することと、前記消耗品情報に基づき前記第１の消耗品をセットアップする際に１つ以上のステップを示すビデオを少なくとも含む内容を表示することを含むことができる。
【０００８】
本発明の他の実施形態は、セットアップ指示を示すビデオクリップ又は他の適切な媒体ファイルを表示できる手術システムに関する。ビデオクリップは、ユーザによってスキャンされるか又は選択され、さもなければ手術システムによって認識されることができる消耗品又は消耗品パックに対応する。セットアップ指示を示すビデオクリップは、１つ以上の方法（例えば、音、テキスト、グラフィック等を有する又は有しない）で表示可能である。一実施形態による手術システムは、ディスプレイと、認識装置と、前記ディスプレイと前記認識装置とに作用上結合された制御器とを含むことができ、前記制御器は、プロセッサと、該プロセッサによって実行可能なプログラム指示を伝達するコンピュータ読み取り可能な媒体とを備える。プログラム指示は、１組の消耗品を収容する第１の消耗品パックの識別を受信するためコードと、その１組の消耗品と関連する消耗品情報を自動的に獲得するためのコードと、前記消耗品情報に基づき前記手術システムの設定を更新するためのコードと、その１組の消耗品をセットアップする際に１組のステップを示すビデオを少なくとも含む内容を前記ディスプレイに表示するためのコードとを含む。
【０００９】
本発明の実施形態では、ビデオクリップ又は他の適切な媒体ファイルの制御は、ユーザの様々な必要性、知識、及び／又は技能レベルに適合するように調整することができる。一実施形態において、手術システムは、少なくとも３つのモード、すなわち、進行モード、ビデオモード、及びウィザードモードを提供することができる。モードの任意の１つをデフォルトモードとして構成することができる。第１のモードでは、ユーザは、オーディオ／ビデオクリップの再生を完全に省略して、特定の機器又は消耗品に関係する所望の箇所又はトピックに簡単にジャンプするか又はそれを選択することができる。第２のモードでは、ユーザは、中断なしにクリップ全体の実行を選択することができる。第３のモードでは、ステップ毎の指示が表示され、選択的に、予め形成されたセットアップ順序で次のステップに進むために、各ステップの完了時にユーザによる確認が必要とされてもよい。
【００１０】
一実施形態において、手術システムは、その中にあるコンピュータ読み取り可能な媒体に具体化されたコンピュータ実行可能なプログラム指示を通して、前のステップの正確な完了（例えば、手術カセットの正確な取付け）を検出すると、セットアップ順序の次のステップに移動するように動作可能である。ユーザと手術システムとの間の双方向性は、手術機器、選択又はスキャンされた消耗品パック、あるいは手術コンソールのセットアップに必要なすべてのステップが完了するまで継続する。
【００１１】
本発明の実施形態によって提供される１つの利点は、複雑な眼科の手術機器及びそれと関連する消耗品のユーザによるセットアップを容易にする手術システムの能力に関する。
【００１２】
本発明の実施形態によって提供される他の利点は、複雑な眼科の手術機器及びそれと関連する消耗品をセットアップする際に、様々なレベルの技能を有する多様なユーザが容易セットアップできる手術システムの柔軟性に関する。
【００１３】
さらに、本発明の実施形態は、消耗品の誤接続によるエラーを防止し、手術機器の不適切なセットアップを防止し、紙のＤＦＵの損失に関連する問題を排除し、手術機器のセットアッププロセスを合理化し、また手術コンソールのセットアップ速度を高めることを補助することができる。
【００１４】
本発明の他の利点は、以下の図面を参照して、本明細書に記載した好ましい実施形態の詳細な説明を読みかつ理解すれば、当業者により明白になるであろう。
【発明を実施するための最良の形態】
【００１５】
本明細書に開示した本発明の実施形態は、手術機器と関連する消耗品のセットアップを容易にするためのシステム及び方法を提供する。図１〜図４は、手術システムの一例、及び関連する消耗品、この場合カセットを示している。これらの図面は、本発明の実施形態を実施できる手術環境を示している。これらの図面から、手術コンソールが、手術処置が行われる前にセットアップを必要とするいくつかの消耗品と協働して機能することを理解できる。本発明の実施形態は、手術コンソールに表示されるビデオ及びマルチメディアの内容を通して消耗品のセットアップを容易にするためのシステム及び方法を提供する。さらに以下に説明するように、コンソールは、様々な機構を通して使用すべき消耗品を認識して、消耗品を設定する際にユーザを補助するために、ユーザに適切な内容を提示することができる。図７〜図１０は、手術装置のセットアップをより効率的にし、かつエラーが生じにくいようにするために、マルチメディアの内容をユーザに表示する実施例を示している。ビデオ及び他のマルチメディアの内容を使用することによって、本発明は、セットアップを容易にし、また指示を提供するための以前の方法の欠点を排除するか、あるいは少なくとも実質的に低減する機構を提供する。
【００１６】
本発明の一実施形態は、セットアップ指示を示すビデオクリップ又は他の適切な媒体ファイルを表示できる手術システムに関する。ビデオクリップは、ユーザによってスキャンされるか又は選択され、さもなければ手術システムによって認識されることができる消耗品又は消耗品パックに対応する。本発明及び本発明の様々な特徴と有利な詳細について、添付図に例示し、かつ以下の説明で詳述する典型的な、したがって非限定的な実施形態を参照してより完全に説明する。
【００１７】
公知のプログラミング技術、コンピュータソフトウェア、ハードウェア、オペレーティングプラットホーム及びプロトコルの説明は、不必要に本発明の詳細を不明瞭にしないように省略することが可能である。しかし、詳細な説明及び特定の実施例は、本発明の好ましい実施形態を示しているが、例示的にのみかつ限定なしに与えられることを理解すべきである。基礎となる本発明の構想の精神及び／又は範囲内の様々な置換、修正、追加及び／又は再配置は、本開示から当業者により明白になるであろう。
【００１８】
図１は、眼科の手術コンソール１００の一実施形態の概略図である。手術コンソール１００は、タッチスクリーン１１５を有する旋回モニタ１１０を含むことができる。旋回モニタ１１０は、タッチスクリーン１１５を見る人のために様々な姿勢で位置決めされることができる。旋回モニタ１１０は、左右に揺動し、ならびに回転また傾斜できる。タッチスクリーン１１５は、ユーザがコンソール１００とやりとりすることを可能にするグラフィカルユーザインタフェース（「ＧＵＩ」）を提供する。
【００１９】
手術コンソール１００はまた、様々なツール及び消耗品を手術コンソール１００に接続するために使用される接続パネル１２０を含む。接続パネル１２０は、例えば、凝固コネクタ、平衡塩溶液受容器、様々なハンドピース用のコネクタ及び流体管理システム（「ＦＭＳ」）又はカセット受容部１２５を含むことができる。手術コンソール１００はまた、フットペダル制御装置（例えば、パネル１３０の背後に格納）及び他の特徴のようなユーザが扱いやすい様々な特徴を含むことができる。
【００２０】
手術中、カセット（図示せず）は、カセット受容部１２５に配置できる。手術コンソール１００内のクランプは、使用中のカセットの移動を最小にするためにカセットを適所にクランプする。クランプは、カセットの頂部及び底部、カセットの側面をクランプできるか、さもなければカセット全体をクランプする。
【００２１】
手術コンソール１００は一例として設けられ、本発明の実施形態は様々な手術システムに実装することができる。本発明の様々な実施形態によるカセットを使用できる実施例の手術システムは、例えば、シリーズ２０００（登録商標）レガシー（Ｌｅｇａｃｙ）（登録商標）白内障手術システム、アクラス（Ａｃｃｕｒｕｓ）（登録商標）４００ＶＳ手術システム、及びインフィニティ（Ｉｎｆｉｎｉｔｉ）（登録商標）ビジョンシステム（Ｖｉｓｉｏｎ  Ｓｙｓｔｅｍ）の手術システムを含み、これらのすべては、テキサス州、フォートワースのアルコンラボラトリーズ社（Ａｌｃｏｎ  Ｌａｂｏｒａｔｏｒｉｅｓ  Ｉｎｃ）から入手できる。さらに、本発明の実施形態は、様々な手術カセットに使用することができ、その例は、米国特許公開第２００５／０１８６０９８号（デイビス（Ｄａｖｉｓ）らの出願番号第１１／１１４，２８９号）、第２００４／０２５３１２９号（ソレンセン（Ｓｏｒｅｎｓｅｎ）らの出願番号第１０／８９１，６４２号）、第２００５／００６５４６２号（ナザリファー（Ｎａｚａｒｉｆａｒ）らの出願番号第１０／９７９，４３３号）、第２００３／０２２５３６３号（ゴードン（Ｇｏｒｄｏｎ）らの出願番号第１０／１５６，１７５号）、第２００１／００１６７１１号（ソレンセン（Ｓｏｒｅｎｓｅｎ）らの出願番号第０９／８４６，７２４号）及びソレンセン（Ｓｏｒｅｎｓｅｎ）らの米国特許第６，２９３，９２６号、クック（Ｃｏｏｋ）らの第４，４９３，６９５号、クック（Ｃｏｏｋ）らの第４，６２７．８３３号、ワング（Ｗａｎｇ）らの第４，３９５，２５８号、ステッペ（Ｓｔｅｐｐｅ）らの第４，７１３，０５１号、デゥメオ（ＤｅＭｅｏ）らの第４，７９８，８５０号、サンドブロム（Ｓｕｎｄｂｌｏｍ）らの第４，７５８，２３８号、サンドブロム（Ｓｕｎｄｂｌｏｍ）らの第４，７９０，８１６号、ボイチャット（Ｂｅｕｃｈａｔ）らの第６，２６７，９５６号、ボイチャット（Ｂｅｕｃｈａｔ）の第６，３６４，３４２号、コール（Ｃｏｌｅ）らの第６，０３６，４５８号、及びユング（Ｊｕｎｇ）らの第６，０５９，５４４号に記載されており、その各々は参照することにより本出願に完全に組み込まれている。本発明の実施形態は、当業者によって理解されるように、他の適切な手術システム及びカセットに実装することができる。
【００２２】
図２は、カセットなしのカセット受容部１２５の一実施形態の概略図である。カセット受容部１２５は、手術カセットから流体（すなわち、液体及び気体）を受容するために、様々な入出力ポート（概して１３５で図示）を有することができる。カセット受容部１２５は、手術中に蠕動ポンプローラ１４０が手術カセットに接触することを可能にするために、開口部をさらに含むことができる。蠕動ポンプ及び相補的なカセットの一実施形態が、参照することにより本出願に完全に組み込まれているソレンセン（Ｓｏｒｅｎｓｅｎ）の米国特許第６，２９３，９２６号に記載されている。
【００２３】
図２の実施形態の手術カセットは、底部レール１４２と頂部レール（図示せず）とを有するクランプによって適所に保持される。各々のレールは、対応するクランプゾーンのカセットに接触するクランプフィンガ（例えば、クランプフィンガ１４４）を有することができる。手術カセットのクランプの一実施形態が、参照することにより本出願に完全に組み込まれている米国特許出願公開第２００３／０２０２８９４号（シリアル番号第１０／１３２，７９７号）に記載されている。リリースボタン１４５が押され、クランプからのカセットの解放を開始する。手術コンソール１００に応じて、カセット解放プロセスは、圧力又は流体を通気するステップ、クランプを係合解除するステップ、又は他のステップを含むいくつかのステップ含むことができる。図２の構造は、一例として示されている。カセット受容部１２５の形状因子、入力／出力ポートの配置と数及びカセット受容部１２５の他の特徴は、手術コンソール１００、実行される手術処置又は他の要因に関係することがある。
【００２４】
図３は、手術カセット１５０の一実施形態の概略図である。カセット１５０は、手術処置に続き廃棄できるクローズドループの流体装置を備えることができる。カセット１５０は、カセット本体１５５と、カセット本体１５５から突出するクランプ受容部分（例えば、概してクランプゾーン１６０と１６５で示される）とを含むことができる。図示した実施形態では、カセット１５０は、３つの主要部分、すなわち、カセット１５０が手術コンソール１００に挿入されるときに手術コンソールに面する内側又は手術コンソールインタフェース部分１７０と、中央部分１７５と、背板１８０とから形成される。カセット１５０の様々な部分は、プレス嵌め、相互ロックタブ、化学接着、熱接着、機械式締結具又は従来技術で公知の他の取付け機構によって共に結合されることができる。
【００２５】
手術コンソールインタフェース部分１７０は、流体フローチャネル（例えば、エラストマポンプ膜によって提供される蠕動ポンプ用のフローチャネル１７７）、弁（例えば、洗浄／吸引弁）、圧力センサ、及び流体流を管理するための他の特徴用のインタフェースを備えることができる。カセット１５０はまた、処置中に流体を収集するための流体バッグ（図示せず）に取り付けることができる。
【００２６】
手術中、カセット１５０は、カセット１５０のクランプゾーンに接触するクランプレールによって、カセット受容部１２５に適所に保持される。例えば、上方クランプレールは、カセット１５０のクランプゾーン１６０及びクランプゾーン１６５に接触し、一方、底部クランプレール（例えば、底部クランプレール１４２）は、カセット１５０のクランプゾーンと同様の底部クランプゾーンに接触する。
【００２７】
図４は、カセット受容部１２５に挿入されたカセット１５０の一実施形態の断面図である。カセット１５０は、クランプによって適所に保持される。図５の実施形態では、クランプは、下方クランプレール１４２及び上方クランプレール１８２を含むが、他の実施形態では、クランプは他の領域のカセット１５０に接触することができる。カセット１５０が最初に挿入されるとき、クランプレール１４２／１８２は、クランプフィンガ（例えば、クランプフィンガ１４４及びクランプフィンガ１８４）がクランプゾーンのカセット１５０に接触するように回転する。回転は、空気シリンダによって、モータによって、又はこれらの任意の組み合わせによって、挿入する力からクランプレール１４２／１８２に付与することができる。カセットを解放するため、クランプレール１４２／１８２が反対方向に回転する。挿入されると、手術コンソールインタフェース部分１５５は、例えば、蠕動ポンプローラ１４０がフローチャネル１７７を締め付けることができるように、手術コンソール１００に接触できる。
【００２８】
このように、先の図面から、手術機器のセットアップは、様々な接続ポートを通してハンドピースを接続するステップと、カセットを挿入するステップとを含むが、それらに限定されないいくつかのステップを含むことができることを理解できる。使用する消耗品に応じて、セットアップステップを変更することが可能である。以下に説明するように、本発明の実施形態は、手術機器と関連して使用される１つ又は複数の消耗品に対応する適切なセットアップ指示を示す１つ又は複数のビデオクリップ又は他の適切な媒体を表示することによって、手術機器のセットアッププロセスを容易にしかつ合理化することができる。選択的に、内容ならびにセットアップ指示が設けられる方法は、ユーザの知識に左右されることがある。
【００２９】
図５は、ビデオ及び他のマルチメディアの内容を使用することによって手術機器のセットアップを容易にするするために、手術コンソール（例えば、図１の手術コンソール１００）に、又は手術コンソールとして実装することができる手術システム５００の一実施形態の概略図である。一実施形態において、手術システム５００は、制御器又は機能ブロック５７０、ディスプレイ５１０、及び消耗品パック認識装置５１６を備える。一実施形態において、機能ブロック５７０は、プロセッサ５０２と、このプロセッサによって実行可能であるプログラム指示５３０を伝達するコンピュータ読み取り可能な媒体５０４を備える。一実施形態において、コンピュータ読み取り可能な媒体５０４は、データ構造５３２を有してもよい。一実施形態において、データ構造５３２は、複数の消耗品パックに関する情報を記憶する検索可能なデータベースであることができる。他の適切なデータ構造（例えば、ファイル）も使用することができる。
【００３０】
実際に、各々の消耗品パックは、１つ以上の消耗品又は消耗品目を収容することが可能である。本発明の実施形態は、消耗品パック（又は個々の消耗品目）を認識して、消耗品をセットアップするための適切な内容を提示することができる。一実施形態において、消耗品パック認識装置５１６は、バーコードスキャナ、ＲＦＩＤ認識装置又は他の装置であることができる。一実施形態において、データベース５３２は、スキャンされるバーコード、ＲＦＩＤ、キー又は他の検索パラメータを介して検索可能であるようにプログラミングすることができる。他の適切な検索技術（例えば無線周波数識別（ＲＦＩＤ）による検索）は、当業者によって理解されるように使用することができる。一実施形態において、機能ブロック５７０はディスプレイ５１０に接続される。一実施形態において、図１の旋回モニタ１１０と同様に、ディスプレイ５１０は、双方向性のＧＵＩを提供するためのタッチスクリーンを実装し、このタッチスクリーンにより、ユーザは手術システム５００、したがって、手術システム５００を具体化するコンソール１００と情報をやりとりすることができる。
【００３１】
プログラム５３０及びデータベース５３２は、いくつかの別の場所に記憶し、分散して実行してもよい。データベース５３２は、プログラム５３０としてのコンピュータ読み取り可能な媒体に設けられてもよく、あるいは装置５７０又は手術システム５００の内部又は外部の別個のコンピュータ読み取り可能な媒体に設けられてもよい。さらに、プログラム５３０及びデータベース５３２の一方又は両方は、より大きなプログラムの部分であることができ、互いにデータを通信するように動作可能な別個のプログラムを備えることができるか、あるいは任意の適切なプログラミングアーキテクチャ及び言語に従って実施することができる。
【００３２】
消耗品パックが手術システム５００によって認識される方法に関し、商業的に入手可能な又は公知の任意の製品識別又は製品認識方法と装置を、消耗品パック認識装置５１６が手術システム５００用の消耗品パックを識別できる限り、本発明の実施形態に適合するか、さもなければ適切に実装することが可能である。例えば、バーコード及びバーコードスキャナの代わりに又は追加して、スマートタグ、ＲＦＩＤタグ又はラベル及び対応するセンサを利用してもよい。さらに、ユーザは、どの消耗品を使用すべきかについて指示を入力することができる（例えば、ＳＵＩを介して品目番号又はＳＫＵを入力することによって）。ディスプレイ５１０がユーザと手術システム５００とのやりとりを可能にできる限り、ディスプレイ５１０のＧＵＩ及びタッチスクリーンのフォーマット、スタイル、サイズ、色、特徴、及び構造は、それぞれの実施に応じて変更可能である。
【００３３】
バーコード、ＲＦＩＤタグ、スマートタグ、消耗品パックのユーザ入力又は他の識別を通してであるにしろ、消耗品パックが認識された場合、プログラム５３０はデータベース５３２にアクセスして、関連する消耗品についてどの媒体ファイルを実行すべきかを決定することができる。特定の媒体ファイルが実行される順序は、消耗品パック内の消耗品に関係することができる。手術中、消耗品のセットアップについてチュートリアルをユーザに提供するために、媒体ファイルが実行される。媒体内容の使用を通して、本発明の実施形態は、セットアップ手順の効率化を高める。さらに、紙のＤＦＵと異なり、セットアップ指示は、好ましくはセットアップされる手術コンソールに、コンピュータデータとして記憶されるので、容易に失われないか又は置き忘れられることはない。
【００３４】
当業者が容易に認識できるように、本発明の範囲と精神から逸脱することなく、本明細書に開示した本発明の実施形態を修正するか、さもなければ異なる多くの方法で実施することができる。例えば、コンピュータ読み取り可能な媒体に記憶されたコンピュータ実行可能な指示は、様々な計算装置及び／又は様々なコンピュータ環境に設けられることが可能である。プログラム５３０は、手術システム５００が設けられるネットワークを介してデータベース５３２からデータを受信したり、データベース５３２にデータを記憶したりするように実行できる。
【００３５】
図６は、手術機器及びそれと関連する消耗品の手術システム５００のユーザによるセットアップを容易にするように動作可能である方法のステップを示したフローチャートである。図６の方法は、手術システム５００のコンピュータ読み取り可能な媒体に記憶されたコンピュータによって実行可能な１連の指示として実施することができる。一実施形態において、手術機器をセットアップする方法は、第１の消耗品又は第１の消耗品パックを識別する（例えば、スキャン又は選択を介して）ステップを含んでもよい。第１の消耗品パックは、１つ以上の消耗品目を含むことが可能である。一実施形態において、手術システム５００は、手術コンソール（例えば、図１の手術コンソール１００）の入力ポートを監視又はスキャン（ステップ６０２）して、認識装置（例えば、バーコードスキャナ５１６、ＲＦＩＤタグ認識装置又は関連技術で知られる又は開発された他の装置）から１つ又は複数の信号（例えば、消耗品又は消耗品パックの識別子又は識別）を自動的に検出しかつ受信する（ステップ６０３）ように構成可能である。他の実施形態において、手術システム５００は、ユーザが消耗品又は消耗品パックのコードを手動で入力することを可能にするようにプログラミングしてもよい。なお他の実施形態において、手術システム５００は、ユーザが消耗品及び／又は消耗品パックのメニューから消耗品又は消耗品パックを選択することを可能にするように、プログラミング可能である。ユーザが第１の消耗品又は第１の消耗品パックをスキャン又は選択することを可能にする他の方法も可能である。
【００３６】
一実施形態において、第１の消耗品又は第１の消耗品パックの識別（identity）がなされると、本方法は、さらに、データベースに問い合わせて、データベースから消耗品及び第１の消耗品パックと関連する情報を獲得するステップを含んでもよい（ステップ６０４）。一実施形態において、問い合わせは、データベースに記憶された消耗品情報を検索することによって達成することができる。ステップ６０４で獲得された情報は、ステップ６０５でパックに関係する設定（例えば、プローブタイプ、ハンドピース、実行すべきビデオクリップ）を更新するために利用してもよい。さらに、ステップ６０４で獲得された情報は、１つ以上の消耗品目（例えば、消耗品パックからの）と関連する使用説明（ＤＦＵ）を含むことができる。
【００３７】
本方法は、さらに、ステップ６０４で獲得された情報でメニューをディスプレイ５１０に表示するステップを含んでもよく、第１の消耗品パック内の第１の消耗品又は１つ以上の消耗品をセットアップする際に、手術システム５００でアプリケーションを実行して、ステップ毎のガイドを提供してもよい（ステップ６０７）。ウィザードアプリケーションは、データベース５３２から獲得されたデータを利用して、消耗品のセットアップ方法に関する指示を提供することができる。手術システム５００は、各ステップの完了を検出して、セットアップ順序の次のステップを示すオーディオ／ビデオ、１つ又は複数の画像、テキスト又はそれらの組み合わせを提示するように動作可能である。一実施形態において、本方法は、識別された消耗品と関連するビデオクリップ及び他の媒体をディスプレイ５１０に自動的に提示するステップを含むことが可能である（ステップ６０８）。本方法は、さらに、ビデオ又は他の媒体の提示の制御を可能にするステップを含んでもよい。すべてのＤＦＵステップが完了した場合、本方法は終了するか（ステップ６１０）又は進んで、次の消耗品又は消耗品パックのスキャン、選択、さもなければ識別を可能にする。図６のステップは、必要又は所望に応じて繰り返すことができる。
【００３８】
上述のように、本発明の実施形態は、消耗品目と関連する媒体の内容（例えば、ビデオ、オーディオ、マルチメディアの内容）を提供することによって、手術機器のセットアップを容易にする。媒体の内容は、消耗品目のセットアップに関するチュートリアルを提供できる。図７〜図９は、媒体の内容をユーザに提供して消耗品のセットアップを容易にするための（例えば、手術システム５００の）ユーザインタフェース（ＵＩ）のスクリーンショットである。図７に示したように、手術システム５００のＵＩは、手術システム５００に備わるコンピュータ読み取り可能な媒体により具体化されるコンピュータ実行可能なプログラム指示を通し、複数の機能的な選択（例えば、ドロップダウンメニュー、ボタン等）を提供して、機器セットアップ手順における異なる要求及び技能と知識レベルを有するユーザに合わせることが可能である。一般に、ＵＩは、ビデオ及び他の内容をユーザに提供して、消耗品のセットアップを容易にする。上述のように、表示される内容は、手術処置に使用するために識別された消耗品又は消耗品パックに関係することができる。一実施形態において、手術システム５００は、少なくとも３つのモード、すなわち、進行モード、ビデオモード、及びウィザードモードを有することができる。
【００３９】
進行モードでは（例えば、図７の７０２に示したような「進行モードに進む」”Ｇｏ  Ｔｏ  Ａｄｖａｎｃｅｄ”ボタンを選択することによって）、ユーザは、全体のオーディオ／ビデオクリップ（ビデオモード）を見るか又はステップ毎の指示（ウィザードモード）に従う必要はない。その代わりに、進行モードでは、より経験のあるユーザは、所望の箇所又は特定の機器又は消耗品に関係するトピックにジャンプするか又はそれを選択することができる。ユーザのために、選択したトピックの内容を提示できる。このように、例えば、手術カセットのセットアップと関連するビデオを見たいと思うユーザは、その内容にスキップすることができる。
【００４０】
ビデオモードでは、セットアップステップのクイックレビューを単に求めるユーザは、中断なしにビデオ全体の提示を選択することができる。図８に示したように、ビデオモードは、消耗品パック（例えば、図８の「コンバインドプロシージャパック」”Ｃｏｍｂｉｎｅｄ  Ｐｒｏｃｅｄｕｒｅ  Ｐａｋ”）と関連する媒体ファイル又はオーディオ／ビデオクリップのユーザによるビュー及びレビューを可能にする様々な方法で（例えば、「開始」、「回転」、「再生」、「前送り」、「終了」、「左に移動」、「右に移動」、「実行済み」等（”Ｓｔａｒｔ”，”Ｒｅｖ”，”Ｐｌａｙ”，”Ｆｗｄ”，”Ｅｎｄ”，”Ｍｏｖｅ  Ｌｅｆｔ”，”Ｍｏｖｅ  Ｒｉｇｈｔ”，”Ｄｏｎｅ”等）。
【００４１】
ウィザードモードでは、図９の領域９０２に示したように、一度に１つのステップで、セットアップ指示（例えば、「１．受容機構にカセットを挿入する」（”１．Ｉｎｓｅｒｔ  Ｃａｓｓｅｔ  ｉｎｔｏ  ｒｅｃｅｉｖｅｒ  ｍｅｃｈａｎｉｓｍ”）ユーザに与えられる。ウィザードは、ビデオモードで示した同一又は同様の内容を有するステップ毎の指示を提供することができる。ウィザードは、ユーザが前に進むために各ステップの完了時に確認する（例えば、「継続」（”Ｃｏｎｔｉｎｕｅ”）ボタン９０４を押すことによって）ことを必要とするように構成されることができる。確認は、未経験のユーザが犯す誤りの防止を補助できる。各ステップの完了後、セットアップ順序の次のステップが表示され、ユーザは、表示されるセットアップ指示に再び従う。ユーザと手術システム５００のＵＩとの間の双方向性は、手術コンソール１００のセットアップ又は消耗品の操作に必要なすべてのステップが完了されるまで、繰り返し及び／又は継続可能である。他の実施形態において、手術コンソール１００は、ステップの完了を検出することができる。ユーザがステップを完了すると、ＵＩは次のステップの内容を示すことができる。
【００４２】
当業者が容易に認識できるように、手術システム５００のＵＩは、それぞれの実施に応じて変更可能である。一例として、図１０は、本発明の他の実施形態による手術システム５００を実施するユーザインタフェースのスクリーンショットである。この場合、ユーザは、ディスプレイ５１０のポップアップウィンドウ「ハンドピースセットアップ」（”ＨＡＮＤＰＩＥＣＥ  ＳＥＴＵＰ")の底部で、「ヘルプビデオ」（”Ｈｅｌｐ  Ｖｉｄｅｏ")ボタンを選択することができる。「ヘルプビデオ」ボタンを選択すると、上述のビデオモードと同様の方法で、媒体ファイル又はオーディオ／ビデオクリップをユーザに自動的に提示することが可能である。代わりに、「ビデオ再生」、「ウィザード実行」等のような複数のオプションをユーザに提示してもよい。他の実施方法も可能である。
【００４３】
上述の本発明の実施形態は、消耗品パックに配置されたＤＦＵに対するユーザが扱いやすい交換又は追加であることができる。さらに、本発明の実施形態は、消耗品の誤接続によるエラーを防止し、手術機器の不適切なセットアップを防止し、紙のＤＦＵの損失と関連する問題を排除し、セットアッププロセスを合理化し、また手術機器のセットアップ速度を高めることを補助することができる。基礎となる手術システムの機能性は、ユーザ（例えば、手術室で働く手術スタッフ）の広範囲の技能レベルと知識のカバーまでおよぶ。本発明の実施形態は、複雑な眼科の手術機器及びそれと関連する消耗品の手術スタッフによる正確かつ効率的なセットアップを容易にする際に特に有用であることができる。
【００４４】
特定の実施形態を参照して、本発明について説明してきたが、実施形態が例示目的であること、及び本発明の範囲がこれらの実施形態に限定されないことを理解すべきである。上述の実施形態に対する多くの変更、修正、追加及び改良が可能である。これらの変更、修正、追加及び改良は、次の特許請求の範囲に詳述されているような本発明の範囲内に含まれると考えられる。
【００４５】
同様の参照番号が同様の特徴を示す添付図と関連する次の説明を参照することによって本発明及び本発明の利点のより完全な理解をすることができる。
【図面の簡単な説明】
【００４６】
【図１】手術コンソールの一実施形態の概略図である。
【図２】カセット受容部の一実施形態の概略図である。
【図３】手術カセットの一実施形態の概略図である。
【図４】カセット受容部内のカセットの一実施形態の断面を示した概略図である。
【図５】手術コンソールとして実装できる手術システムの一実施形態の概略図である。
【図６】手術機器及びそれと関連する消耗品をセットアップする際にユーザが容易にセットアップできるように動作可能な方法のステップを示したフローチャートである。
【図７】図５の手術システム及び図６の方法を実施するユーザインタフェースの一実施形態のスクリーンショットの画面である。
【図８】図５の手術システム及び図６の方法を実施するユーザインタフェースの別の一実施形態のスクリーンショットの画面である。
【図９】図５の手術システム及び図６の方法を実施するユーザインタフェースの別の一実施形態のスクリーンショットの画面である。
【図１０】本発明の他の実施形態による図５の手術システムを実施するユーザインタフェースのスクリーンショットの画面である。
【符号の説明】
【００４７】
５００    手術システム
５０２    プロセッサ
５０４    コンピュータ読み取り可能な媒体
５１０    ディスプレイ
５１６    消耗品パック認識装置
５３０    プログラム指示
５３２    データ構造
５７０    機能ブロック
６０２    １以上の入力ポートのスキャン
６０３    消耗品又は消耗品パック？
６０４    データベースに問い合わせ
６０５    パック設定の更新
６０６    ＤＦＵメニューの表示
６０７    ウィザード
６０８    ビデオ
６０９    進行
６１０    セットアップ完了？
【図１】
2008006289.tif 000003
【図２】
2008006289.tif 000004
【図３】
2008006289.tif 000005
【図４】
2008006289.tif 000006
【図５】
2008006289.tif 000007
【図６】
2008006289.tif 000008
【図７】
2008006289.tif 000009
【図８】
2008006289.tif 000010
【図９】
2008006289.tif 000011
【図１０】
2008006289.tif 000012
【外国語明細書】
2008006289000001.pdf